(57)【要約】【課題】航空機への搭乗時に、スムーズに自分の座席へと誘導することが可能な携帯端末を提供する。【解決手段】携帯電話１０は、通信部１１と、表示部１２と、制御部１３と、を備えている。通信部１１は、外部機器と通信を行なう。表示部１２は、各種情報を表示する。制御部１３は、空港において航空機に搭乗する際に、通信部１１を介して取得した情報に基づいて所定の条件を満たしたと判定した場合には、搭乗する航空機の座席情報を表示部１２に表示させる。【選択図】図１
2013218666.tif 000002
【特許請求の範囲】
【請求項１】
外部機器と通信を行なう通信部と、
各種情報を表示する表示部と、
空港において航空機に搭乗する際に、前記通信部を介して取得した情報に基づいて所定の条件を満たしたと判定した場合には、搭乗する航空機の座席情報を、前記表示部に表示させる制御部と、
を備えている携帯端末。
【請求項２】
前記所定の条件には、空港内における搭乗ゲート通過、あるいはチェックイン手続き完了が含まれる、
請求項１に記載の携帯端末。
【請求項３】
前記座席情報には、座席番号、あるいは航空機内のシートマップが含まれる、
請求項１または２に記載の携帯端末。
【請求項４】
携帯電話である、
請求項１から３のいずれか１項に記載の携帯端末。
【請求項５】
外部機器と通信を行なう通信部と、
各種情報を表示する表示部と、
空港において航空機に搭乗する際に、前記通信部を介して取得した情報に基づいて所定の条件を満たしたと判定した場合には、前記通信部を介して搭乗ゲートに関する情報を、前記表示部に表示させる制御部と、
を備えている携帯端末。
【請求項６】
外部機器と通信を行なう通信部と、
音声情報を出力する出力部と、
空港において航空機に搭乗する際に、前記通信部を介して取得した情報に基づいて所定の条件を満たしたと判定した場合には、搭乗する航空機の座席情報を、前記出力部から音声情報として出力させる制御部と、
を備えている携帯端末。
【請求項７】
外部機器と通信を行なう通信部と、
音声情報を出力する出力部と、
空港において航空機に搭乗する際に、前記通信部を介して取得した情報に基づいて所定の条件を満たしたと判定した場合には、搭乗ゲートに関する情報を、前記出力部から音声情報として出力させる制御部と、
を備えている携帯端末。
【請求項８】
前記制御部は、前記表示部に表示される座席番号に関する情報、あるいは搭乗ゲートに関する情報を、前記表示部に表示された他の文字情報よりも大きなフォントを用いて表示させる、
請求項１から５のいずれか１項に記載の携帯端末。
【発明の詳細な説明】
【技術分野】
【０００１】
本開示は、例えば、携帯電話、スマートフォン、携帯音楽プレイヤ、携帯型ゲーム機等の携帯端末に関する。
【背景技術】
【０００２】
通常、空港において航空機に搭乗する際には、乗客は、搭乗時刻の所定時間前に、空港内の航空会社のチェックインカウンタ、あるいは自動チェックイン機において所定の手続きを行なう。そして、乗客は、搭乗時刻になると、搭乗ゲートに進み、航空券、あるいはＱＲコード（登録商標） 等を機械に読み取らせて、チェックインの際に登録された搭乗情報と照合することによって搭乗の確認を行う。ここで、搭乗確認が完了した場合には、機械によって座席番号等の座席情報が記載された搭乗券が発券されるため、乗客はこの搭乗券を持って航空機に搭乗し、指定の座席に着座する。
【先行技術文献】
【特許文献】
【０００３】
【特許文献１】国際公開第９７／０２０２８９号公報
【発明の概要】
【発明が解決しようとする課題】
【０００４】
しかしながら、上記従来の航空機への搭乗方法では、以下に示すような問題点を有している。
【０００５】
すなわち、上記公報に開示された航空機への搭乗方法では、機械によって発券された搭乗券により自分の座席を確認して航空機内の自分の座席に着座するのであるが、誤って搭乗券を紛失した場合、自分の座席が分からなくなってしまうおそれがある。
【０００６】
本開示の課題は、航空機への搭乗時に、スムーズに自分の座席へと誘導することが可能な携帯端末を提供することにある。
【課題を解決するための手段】
【０００７】
第１の開示に係る携帯端末は、通信部と、表示部と、制御部と、を備えている。通信部は、外部機器と通信を行なう。表示部は、各種情報を表示する。制御部は、空港において航空機に搭乗する際に、通信部を介して取得した情報に基づいて所定の条件を満たしたと判定した場合には、搭乗する航空機の座席情報を表示部に表示させる。
【０００８】
ここでは、例えば、携帯電話等の携帯端末を所有する使用者が、空港において航空機に搭乗する際に、携帯端末の通信部を介して取得した情報に基づいて、制御部が所定の条件を満たすか否かを判定し、所定の条件を満たすと判定した場合には、携帯端末の表示部に搭乗する航空機の座席情報を自動的に表示させる。
【０００９】
ここで、本携帯端末には、例えば、携帯電話、スマートフォン、携帯音楽プレイヤ、携帯型ゲーム機等のように、通信機能を有する各種携帯機器が含まれる。また、上記所定の条件には、例えば、空港における搭乗ゲート通過、チェックイン手続き完了、保安検査場の通過、搭乗通路における所定の位置の通過、携帯端末の飛行機モードへの設定変更等が含まれる。そして、通信部を介して取得した情報には、例えば、ゲート通過時、あるいはチェックイン手続き完了時等において、空港内に設置されたサーバ等から送信された信号等が含まれる。
【００１０】
また、上記座席情報には、例えば、指定された座席の番号（例えば、２３Ｆ等）や座席位置を示すシートマップ等が含まれる。
【００１１】
これにより、本携帯端末の使用者は、空港内において航空機に搭乗するための所定の手続きを踏む過程において、自動的に携帯端末の表示部の画面上に、自ら着座する座席に関する情報を表示させることができる。よって、従来のように搭乗ゲート等で発券される搭乗券等を紛失した場合のリスクを負うことなく、スムーズに航空機の自分の座席へ着座することができる。
【００１２】
第２の開示に係る携帯端末は、第１の開示に係る携帯端末であって、所定の条件には、空港内における搭乗ゲート通過、あるいはチェックイン手続き完了が含まれる。
【００１３】
ここでは、上述した携帯端末の表示部に座席情報を表示させるための所定の条件として、例えば、使用者が搭乗ゲートを通過したこと、あるいはチェックイン手続きを完了したことを挙げている。
【００１４】
これにより、本携帯端末の使用者は、搭乗ゲート通過後等の航空機に搭乗するまでの間に、確実に、自分の所有する携帯端末の表示部に表示される座席情報を取得することができる。
【００１５】
第３の開示に係る携帯端末は、第１または第２の開示に係る携帯端末であって、座席情報には、座席番号、あるいは航空機内のシートマップが含まれる。
【００１６】
ここでは、携帯端末の表示部に表示させる座席情報として、例えば、２３Ｆ等の座席番号や、航空機内の座席位置を示すシートマップ等を挙げている。
【００１７】
これにより、本携帯端末の使用者は、航空機に搭乗した際に、自分の携帯端末を見るだけで自分の座席を容易に認識することができる。
【００１８】
第４の開示に係る携帯端末は、第１から第３の開示のいずれか１つに係る携帯端末であって、携帯電話である。
【００１９】
ここでは、本携帯端末として、携帯電話を用いる。
【００２０】
これにより、航空機に搭乗する使用者は、普段から持ち歩いている携帯電話の画面を見るだけで、容易に自分の座席位置を認識することができる。
【００２１】
第５の開示に係る携帯端末は、通信部と、表示部と、制御部と、を備えている。通信部は、外部機器と通信を行なう。表示部は、各種情報を表示する。制御部は、空港において航空機に搭乗する際に、通信部を介して取得した情報に基づいて所定の条件を満たしたと判定した場合には、通信部を介して搭乗ゲートに関する情報を、表示部に表示させる。
【００２２】
ここでは、例えば、携帯電話等の携帯端末を所有する使用者が、空港において航空機に搭乗する際に、携帯端末の通信部を介して取得した情報に基づいて、制御部が所定の条件を満たすか否かを判定し、所定の条件を満たすと判定した場合には、携帯端末の表示部に、搭乗する航空機が接続された搭乗ゲートに関する情報を自動的に表示させる。
【００２３】
ここで、本携帯端末には、例えば、携帯電話、スマートフォン、携帯音楽プレイヤ、携帯型ゲーム機等のように、通信機能を有する各種携帯機器が含まれる。また、上記所定の条件には、例えば、チェックイン手続き完了、保安検査場の通過、保安検査場通過後の通路における所定の位置の通過、携帯端末の飛行機モードへの設定変更等が含まれる。そして、通信部を介して取得した情報には、例えば、チェックイン手続き完了時等において、空港内に設置されたサーバ等から送信された信号等が含まれる。
【００２４】
また、上記搭乗ゲートに関する情報には、例えば、指定された搭乗ゲートの番号（例えば、５Ｂ等）等が含まれる。
【００２５】
これにより、本携帯端末の使用者は、空港内において航空機に搭乗するための所定の手続きを踏む過程において、携帯端末の表示部の画面上に、自らが向かうべき搭乗ゲートに関する情報を自動的に表示させることができる。よって、従来のように保安検査場通過時に発券される搭乗ゲート番号が付された券等を紛失した場合のリスクを負うことなく、スムーズに航空機の方向へ向かうことができる。
【００２６】
第６の開示に係る携帯端末は、通信部と、出力部と、制御部と、を備えている。通信部は、外部機器と通信を行なう。出力部は、音声情報を出力する。制御部は、空港において航空機に搭乗する際に、通信部を介して取得した情報に基づいて所定の条件を満たしたと判定した場合には、搭乗する航空機の座席情報を、出力部から音声情報として出力させる。
【００２７】
ここでは、例えば、携帯電話等の携帯端末を所有する使用者が、空港において航空機に搭乗する際に、携帯端末の通信部を介して取得した情報に基づいて、制御部が所定の条件を満たすか否かを判定し、所定の条件を満たすと判定した場合には、携帯端末の出力部から航空機の座席情報に関する音声情報を自動的に出力させる。
【００２８】
ここで、本携帯端末には、例えば、携帯電話、スマートフォン、携帯音楽プレイヤ、携帯型ゲーム機等のように、通信機能を有する各種携帯機器が含まれる。また、上記所定の条件には、例えば、空港における搭乗ゲート通過、チェックイン手続き完了、保安検査場の通過、搭乗通路における所定の位置の通過、携帯端末の飛行機モードへの設定変更等が含まれる。そして、通信部を介して取得した情報には、例えば、ゲート通過時、あるいはチェックイン手続き完了時等において、空港内に設置されたサーバ等から送信された信号等が含まれる。
【００２９】
また、上記座席情報には、例えば、指定された座席の番号（例えば、２３Ｆ等）等が含まれる。
【００３０】
これにより、本携帯端末の使用者は、空港内において航空機に搭乗するための所定の手続きを踏む過程において、自動的に携帯端末から、自ら着座する座席に関する情報を音声情報として出力させることができる。よって、従来のように搭乗ゲート等で発券される搭乗券等を紛失した場合のリスクを負うことなく、スムーズに航空機の自分の座席へ着座することができる。
【００３１】
第７の開示に係る携帯端末は、通信部と、出力部と、制御部と、を備えている。通信部は、外部機器と通信を行なう。出力部は、音声情報を出力する。制御部は、空港において航空機に搭乗する際に、通信部を介して取得した情報に基づいて所定の条件を満たしたと判定した場合には、搭乗ゲートに関する情報を、出力部から音声情報として出力させる。
【００３２】
ここでは、例えば、携帯電話等の携帯端末を所有する使用者が、空港において航空機に搭乗する際に、携帯端末の通信部を介して取得した情報に基づいて、制御部が所定の条件を満たすか否かを判定し、所定の条件を満たすと判定した場合には、携帯端末の出力部から搭乗する航空機が接続された搭乗ゲートに関する音声情報を自動的に出力させる。
【００３３】
ここで、本携帯端末には、例えば、携帯電話、スマートフォン、携帯音楽プレイヤ、携帯型ゲーム機等のように、通信機能を有する各種携帯機器が含まれる。また、上記所定の条件には、例えば、チェックイン手続き完了、保安検査場の通過、保安検査場通過後の通路における所定の位置の通過、携帯端末の飛行機モードへの設定変更等が含まれる。そして、通信部を介して取得した情報には、例えば、チェックイン手続き完了時等において、空港内に設置されたサーバ等から送信された信号等が含まれる。
【００３４】
また、上記搭乗ゲートに関する情報には、例えば、指定された搭乗ゲートの番号（例えば、５Ｂ等）等が含まれる。
【００３５】
これにより、本携帯端末の使用者は、空港内において航空機に搭乗するための所定の手続きを踏む過程において、自動的に携帯端末から、自ら向かうべき搭乗ゲートに関する情報を音声情報として出力させることができる。よって、従来のように保安検査場通過時に発券される搭乗ゲート番号が付された券等を紛失した場合のリスクを負うことなく、スムーズに航空機の方向へ向かうことができる。
【００３６】
第８の開示に係る携帯端末は、第１から第５の開示のいずれか１つに係る携帯端末であって、制御部は、表示部に表示される座席番号に関する情報、あるいは搭乗ゲートに関する情報を、表示部に表示された他の文字情報よりも大きなフォントを用いて表示させる。
【００３７】
これにより、携帯端末の使用者に対して、表示部に表示された座席番号や搭乗ゲートを、より分かり易く表示することができる。
【発明の効果】
【００３８】
本開示に係る携帯端末によれば、スムーズに航空機内の指定された席へ着座することができる。
【図面の簡単な説明】
【００３９】
【図１】本開示の一実施形態に係る携帯電話の構成を示すブロック図。
【図２】図１の携帯電話を含む通信ネットワークを含む図。
【図３】図１の携帯電話の使用者が移動する空港内の模式図。
【図４】図１の携帯電話の表示部の表示画面を示す図。
【図５】本開示の他の実施形態に係る携帯電話の表示部の表示画面を示す図。
【図６】本開示のさらに他の実施形態に係る携帯電話の構成を示すブロック図。
【発明を実施するための形態】
【００４０】
（実施形態１）
本開示の一実施形態に係る携帯端末について、図１〜図４を用いて説明すれば以下の通りである。
【００４１】
（携帯電話１０）
本実施形態に係る携帯電話（携帯端末）１０は、図１に示すように、通信部１１と、表示部１２と、記憶部１３と、入力部１４と、マイク１５と、スピーカ（出力部）１６と、電源部１７と、制御部１８と、を備えている。
【００４２】
通信部１１は、例えば、３Ｇ／４Ｇ回線やＷｉｆｉ、Bluetooth（登録商標）  NFC（Near Field Communication）等を用いて、他の携帯電話やＰＣ、外部サーバ（後述する空港内サーバ２１（図２参照）を含む）等の外部機器との間において、通話やメール、インターネット等の通信を行う。
【００４３】
表示部１２は、タッチパネル式の表示画面１２ａを有しており、入力部としても機能する。また、表示部１２は、携帯電話１０の各種設定や通話、メール、インターネットを介して各種ホームページ等を表示する。
【００４４】
本実施形態では、表示部１２の表示画面１２ａには、使用者が航空機に搭乗する際に、搭乗ゲート１０３ａ〜１０３ｄ（図３参照）のいずれかを通過する際に所定の機械に読み取らせるためのＱＲコード（登録商標） が表示される。これにより、携帯電話１０の使用者は、携帯電話１０の表示画面１２ａに表示されたＱＲコード（登録商標） を機械に読み取らせてチェックイン情報と一致したことが確認されると、搭乗ゲート１０３ａ〜１０３ｄのいずれかを通過することができる。
【００４５】
さらに、本実施形態の携帯電話１０では、後述する所定の条件を満たした場合には、携帯電話１０の表示画面１２ａに、今から搭乗する航空機の座席番号（座席情報）を表示させる（図４参照）。なお、この座席情報の表示制御については、後段にて詳述する。
【００４６】
記憶部１３は、携帯電話１０に保存された連絡先等の各種情報や画像、音楽等の情報を格納する。また、本実施形態では、記憶部１３は、ＧＰＳ機能を用いて認識された携帯電話１０の位置、空港１００内におけるチェックイン手続き等によって所定の位置に移動したこと等が認識された際に、その位置情報を記憶する。なお、この位置情報は、制御部１８によって、後述する座席番号表示制御に使用される。
【００４７】
入力部１４は、例えば、表示画面１２ａにホーム画面を表示させる。
【００４８】
マイク１５は、携帯電話１０を用いて通話する際に、使用者の音声情報を取得する。
【００４９】
スピーカ１６は、携帯電話１０を用いて通話する際に通話相手の音声情報を出力するとともに、携帯電話１０やインターネットクラウドに保存された音楽や音声メモ等を再生出力する。
【００５０】
電源部１７は、携帯電話１０の通信部１１や表示部１２等の各部に対して電力を供給する。
【００５１】
制御部１８は、通信部１１や表示部１２等の各部を制御するとともに、後述する所定の条件を満たした場合には、表示部１２を制御して表示画面１２ａに座席番号（座席情報）を表示させる。
【００５２】
ここで、本実施形態における上記所定の条件とは、携帯電話１０の使用者が空港１００内を移動して航空機に搭乗する直前の搭乗ゲート１０３ａ〜１０３ｄのいずれかを通過したことが挙げられる。
【００５３】
すなわち、本実施形態の携帯電話１０は、図３に示す搭乗ゲート１０３ａ〜１０３ｄのいずれかを通過する際に、表示画面１２ａに表示されたＱＲコード（登録商標） を機械に読み取らせると、図２に示す空港内サーバ２１の通信部２１ａを介して位置検出部２１ｂにおいて、携帯電話１０が搭乗ゲート１０３ａ〜１０３ｄのいずれかを通過したこと（使用者の位置）を認識する。すると、制御部１８は、通信部１１および通信部２１ａを介して、空港内サーバ２１のチェックイン情報記憶部２１ｄから座席番号（座席情報）を取得し、図４に示すように、表示部１２の表示画面１２ａに表示させる。
【００５４】
＜携帯電話１０を含む空港内ネットワーク２０＞
本実施形態の携帯電話１０は、図２に示すように、インターネットを介して、空港内サーバ２１と接続されており、空港内サーバ２１とともに空港内ネットワーク２０を構成している。
【００５５】
空港内サーバ２１は、空港１００内における各種サービスの提供を行なうために空港１００内に設置されたシステムであって、図２に示すように、通信部２１ａ、位置検出部２１ｂ、記録部２１ｃ、チェックイン情報記憶部２１ｄを有している。
【００５６】
通信部２１ａは、インターネットを介して携帯電話１０等の端末と空港内サーバ２１とを接続する。
【００５７】
位置検出部２１ｂは、空港１００内における携帯電話１０の位置（使用者の位置）を検出する。位置検出部２１ｂによる携帯電話１０の位置検出方法としては、例えば、搭乗ゲート１０３ａ〜１０３ｄのいずれかを通過する際に、空港内サーバ２１にチェックイン情報が送信されることで、携帯電話１０の位置を搭乗ゲート１０３ａ〜１０３ｄのいずれかの近くであることを検出することができる。あるいは、チェックインカウンタ１０１において携帯電話１０の使用者がチェックイン手続きを完了したという情報に基づいて、チェックインカウンタ１０１付近であることを検出してもよい。
【００５８】
記録部２１ｃは、位置検出部２１ｂにおいて検出された位置情報や、空港１００内において提供される各種サービスに関する情報を格納する。
【００５９】
チェックイン情報記憶部２１ｄは、チェックインカウンタ１０１を介して取得された乗客のチェックイン情報を記憶する。
【００６０】
これにより、空港内サーバ２１では、乗客が搭乗ゲート１０３ａ〜１０３ｄのいずれかを通過する際に機械に読み取らせたＱＲコード（登録商標） から得られる情報とチェックイン情報記憶部２１ｄに格納されたチェックイン情報とが一致するか否かを判定して、一致した場合には、通信部２１ａからインターネットを介して携帯電話１０へ使用者の座席番号情報を送信する。
【００６１】
ここで、空港１００内は、図３に示すように、保安検査場１０２を通過するまでの非保安エリア１００ａと、保安検査場１０２を通過した後の保安エリア１００ｂとに分かれている。
【００６２】
このため、携帯電話１０の使用者が空港１００内を移動して、所定のポイント（例えば、チェックインカウンタ１０１や保安検査場１０２、搭乗ゲート１０３ａ〜１０３ｄ）を通過すると、空港内サーバ２１では、携帯電話１０の使用者がおおよそどのエリアにいるのかを認識することができる。
【００６３】
例えば、携帯電話１０の表示画面１２ａにＱＲコード（登録商標） が表示された状態で保安検査場１０２の機械にＱＲコード（登録商標） を読み取らせた後には、携帯電話１０の使用者は、非保安エリア１００ａから保安エリア１００ｂへ移動したことが認識される。また、例えば、携帯電話１０の表示画面１２ａにＱＲコード（登録商標） が表示された状態で搭乗ゲート１０３ａ〜１０３ｄのいずれかに設置された機械にＱＲコード（登録商標） を読み取らせた後には、携帯電話１０の使用者は、保安エリア１００ｂから航空機に接続された搭乗ブリッジの方へ移動したことが認識される。
【００６４】
＜携帯電話１０の表示部１２への座席番号表示＞
本実施形態では、上述したように、搭乗ゲート１０３ａ〜１０３ｄのいずれかを通過する際に機械に携帯電話１０の表示画面１２ａに表示させたＱＲコード（登録商標） が読み取られたことが検知されると、空港内サーバ２１からチェックイン情報記憶部２１ｄに格納された情報と、ＱＲコード（登録商標） から得られる情報とを比較して、一致するものがあるか否かを判定する。
【００６５】
ここで、一致していると判定されると、空港内サーバ２１は、通信部２１ａを介して、携帯電話１０の通信部１１に対して座席情報に関するデータを送信する。
【００６６】
このとき、携帯電話１０では、図４に示すように、表示画面１２ａ上に、使用者の座席番号である「２３Ｆ」が表示される。
【００６７】
これにより、携帯電話１０の使用者は、携帯電話１０の表示画面１２ａにＱＲコード（登録商標） を表示させた状態で搭乗ゲート１０３ａ〜１０３ｄのいずれかを通過した後、そのまま携帯電話１０の表示画面１２ａに自分の座席番号が表示されるため、スムーズに自分の座席へと向かうことができる。
【００６８】
なお、本実施形態の携帯電話１０では、図４に示すように、座席番号である「２３Ｆ」の文字を、他の文字情報よりも大きなフォントで表示している。
【００６９】
これにより、携帯電話１０の使用者に対して、自分の座席番号をより分かり易く伝えることができる。
【００７０】
＜特徴＞
本実施形態の携帯電話１０では、図１に示すように、通信部１１と、表示部１２と、制御部１８と、を備えている。通信部１１は、インターネットを介して、空港内サーバ２１を含む外部機器と通信を行なう。表示部１２は、携帯電話１０を操作して得られる各種情報を表示する。制御部１８は、空港１００において航空機に搭乗する際に、通信部１１を介して取得した情報に基づいて、所定の条件（本実施形態では、搭乗ゲート１０３ａ〜１０３ｄのいずれかの通過）を満たしたと判定した場合には、通信部１１を介して搭乗する航空機の座席番号（座席情報）を取得し、図４に示すように、表示部１２に表示させる。
【００７１】
これにより、本携帯電話１０の使用者は、搭乗ゲート１０３ａ〜１０３ｄのいずれかを通過したことが検知されると、搭乗ゲート１０３ａ〜１０３ｄを通過した際に表示させていたＱＲコード（登録商標） から座席番号に関する情報に切り替えられた表示画面１２ａを確認するだけで、容易に航空機内における自分の座席の位置を把握することができる。よって、本携帯電話１０の使用者は、スムーズに航空機内における自分の座席へ向かうことができる。
【００７２】
また、本携帯電話１０によれば、従来の搭乗ゲート１０３ａ〜１０３ｄのいずれかにおいて発券されていた搭乗券が不要になるため、ペーパレス化が図れる。この結果、各航空会社における発券コストを低減することができる。
【００７３】
さらに、本携帯電話１０によれば、航空機の機材変更、搭乗前のアップグレード等の座席調整等があった場合でも、座席情報を最新のものに更新して携帯電話１０に表示させることができるため、急な座席変更があった場合でも対応が可能となる。
【００７４】
（実施形態２）
本開示の他の実施形態に係る携帯端末について、図６を用いて説明すれば以下の通りである。
【００７５】
なお、本実施形態において、上記実施形態１と同様の機能を有する構成については、同じ符号を付し、その説明を省略する。
【００７６】
本実施形態の携帯電話（携帯端末）５０は、図６に示すように、通信部５１と、表示部５２と、記憶部５３と、入力部５４と、マイク５５と、スピーカ（出力部）５６と、電源部５７と、制御部５８と、飛行機モード設定部５９と、を備えている。
【００７７】
通信部５１は、例えば、３Ｇ／４Ｇ回線やＷｉｆｉ、Bluetooth（登録商標）  NFC（Near Field Communication）等を用いて、他の携帯電話やＰＣ、外部サーバ（後述する空港内サーバ２１（図２参照）を含む）等の外部機器との間において、通話やメール、インターネット等の通信を行う。
【００７８】
表示部５２は、タッチパネル式の表示画面を有しており、入力部としても機能する。また、表示部５２は、携帯電話５０の各種設定や通話、メール、インターネットを介して各種ホームページ等を表示する。
【００７９】
本実施形態では、表示部５２の表示画面には、使用者が航空機に搭乗する際に、搭乗ゲート１０３ａ〜１０３ｄ（図３参照）のいずれかを通過する際に所定の機械に読み取らせるためのＱＲコード（登録商標） が表示される。これにより、携帯電話５０の使用者は、携帯電話５０の表示画面に表示されたＱＲコード（登録商標） を機械に読み取らせてチェックイン情報と一致したことが確認されると、搭乗ゲート１０３ａ〜１０３ｄ（図３参照）のいずれかを通過することができる。
【００８０】
さらに、本実施形態の携帯電話５０では、後述する所定の条件を満たした場合には、携帯電話５０の表示画面に、無線機能の停止を促す旨を表示させる。なお、この通信部５１の無線機能を停止させるための表示制御については、後段にて詳述する。
【００８１】
記憶部５３は、携帯電話５０に保存された連絡先等の各種情報や画像、音楽等の情報を格納する。また、本実施形態では、記憶部５３は、ＧＰＳ機能を用いて認識された携帯電話５０の位置、空港１００（図３等参照）内におけるチェックイン手続き等によって所定の位置に移動したこと等が認識された際に、その位置情報を記憶する。なお、この位置情報は、制御部５８によって、後述する無線機能停止を促す表示制御に使用される。
【００８２】
入力部５４は、例えば、表示部５２の表示画面にホーム画面を表示させる。
【００８３】
マイク５５は、携帯電話５０を用いて通話する際に、使用者の音声情報を取得する。
【００８４】
スピーカ５６は、携帯電話５０を用いて通話する際に通話相手の音声情報を出力するとともに、携帯電話５０やインターネットクラウドに保存された音楽や音声メモ等を再生出力する。
【００８５】
電源部５７は、携帯電話５０の通信部５１や表示部５２等の各部に対して電力を供給する。
【００８６】
制御部５８は、通信部５１や表示部５２等の各部を制御するとともに、後述する所定の条件を満たした場合には、表示部５２を制御して表示画面に通信部５２の無線機能を停止させる旨を表示させる。
【００８７】
ここで、本実施形態における上記所定の条件とは、例えば、携帯電話５０の使用者が空港１００内を移動して航空機に搭乗する直前の搭乗ゲート１０３ａ〜１０３ｄのいずれかを通過したことが挙げられる（図３等参照）。
【００８８】
すなわち、本実施形態の携帯電話５０は、搭乗ゲート１０３ａ〜１０３ｄ（図３参照）のいずれかを通過する際に、表示部５２の表示画面に表示されたＱＲコード（登録商標） を機械に読み取らせると、空港内サーバ２１の通信部２１ａ（図２参照）介して位置検出部２１ｂにおいて、携帯電話５０が搭乗ゲート１０３ａ〜１０３ｄのいずれかを通過したこと（使用者の位置）を認識する。すると、制御部５８は、通信部５１の無線機能停止状態となる飛行機モードへの移行を促す文章を、表示部５２の表示画面に表示させる。
【００８９】
飛行機モード設定部５９は、使用者による表示部５２のタッチパネル操作等によって飛行機モードへ設定が変更された際に、制御部５８を介して通信部５１の通信機能を停止させる。
【００９０】
ここで、飛行機モードは、航空機に設置された各種計器類やその他の機器に対して、携帯電話５０の通信用電波が悪影響を与えないようにするために、無線機能を一時的に停止させるために携帯電話５０に通常設けられた機能である。
【００９１】
＜携帯電話５０を含む空港内ネットワーク２０＞
本実施形態の携帯電話５０は、上記実施形態１の携帯電話１０と同様に、インターネットを介して、空港内サーバ２１と接続されており、空港内サーバ２１とともに空港内ネットワーク２０を構成している。
【００９２】
なお、空港内サーバ２１の構成については、上記実施形態１と同様であるから、ここでは詳細な説明は省略する。
【００９３】
よって、本実施形態においても、携帯電話５０の使用者が空港１００内を移動して、所定のポイント（例えば、チェックインカウンタ１０１や保安検査場１０２、搭乗ゲート１０３ａ〜１０３ｄ）を通過すると、空港内サーバ２１では、携帯電話５０の使用者がおおよそどのエリアにいるのかを認識することができる。
【００９４】
例えば、携帯電話５０の表示画面にＱＲコード（登録商標） が表示された状態で保安検査場１０２の機械にＱＲコード（登録商標） を読み取らせた後には、携帯電話５０の使用者は、非保安エリア１００ａから保安エリア１００ｂへ移動したことが認識される。また、例えば、携帯電話５０の表示画面にＱＲコード（登録商標） が表示された状態で搭乗ゲート１０３ａ〜１０３ｄのいずれかに設置された機械にＱＲコード（登録商標） を読み取らせた後には、携帯電話５０の使用者は、保安エリア１００ｂから航空機に接続された搭乗ブリッジの方へ移動したことが認識される。
【００９５】
＜携帯電話５０による無線機能停止を促す表示制御＞
本実施形態では、上述したように、搭乗ゲート１０３ａ〜１０３ｄのいずれかを通過する際に機械に携帯電話５０の表示画面に表示させたＱＲコード（登録商標） が読み取られたことが検知されると、空港内サーバ２１からチェックイン情報記憶部２１ｄに格納された情報と、ＱＲコード（登録商標） から得られる情報とを比較して、一致するものがあるか否かを判定する。
【００９６】
ここで、一致していると判定されると、制御部５８は、携帯電話５０の通信部５１の通信機能の停止を促すように、表示部５２の表示画面に表示させる。
【００９７】
このとき、携帯電話５０では、表示部５２の表示画面上に、例えば、「飛行機モードへ設定を変更してください。」、「通信機能を停止させてください。」等の報知画面を表示させる。
【００９８】
これにより、携帯電話５０の使用者は、携帯電話５０の表示画面にＱＲコード（登録商標） を表示させた状態で搭乗ゲート１０３ａ〜１０３ｄのいずれかを通過した後、そのまま携帯電話５０の表示画面を見るだけで、航空機に搭乗する前、あるいは搭乗したらすぐに無線機能を停止させる操作を行なう必要があることを思い出すことができる。
【００９９】
ここで、従来の携帯電話では、航空機に搭乗する前後に、使用者が自ら設定画面や専用のスイッチ等を操作することで、通信機能を一時的に停止させる必要があった。このため、使用者が飛行機モードへの設定変更操作を忘れたり、意図的に通常モードのまま航空機に搭乗したりした場合には、航空機への影響を排除することが困難であった。
【０１００】
本実施形態の携帯電話５０では、使用者の操作忘れや意思に関わらず、航空機の機器等への悪影響を効果的に排除することが可能な携帯端末を提供するために、所定の条件を満たした場合には、表示部５２の表示画面上に、通信部５１の無線機能を停止させるように促す表示を行なう。
【０１０１】
具体的には、飛行機モードへの設定変更を促すような表示を行なう。
【０１０２】
これにより、携帯電話５０の使用者は、飛行機モードへの設定変更、あるいは電源オフ操作を忘れずに実施することができる。
【０１０３】
なお、本実施形態では、無線機能を停止させる表示制御を実施するためのきっかけとして、搭乗ゲート１０３ａ〜１０３ｄのいずれかを通過したことを条件として説明したが、本開示はこれに限定されるものではない。
【０１０４】
例えば、無線機能停止を促す表示制御を、チェックインカウンタ１０１や自動チェックイン機においてチェックイン手続きが完了したとき、航空機内において携帯電話５０とＩＦＥとの間で送受信が行なわれたとき、ＩＦＥの画面をカメラで読み取ったとき、空港内においてマイレージカードや搭乗券を読み取ったとき、航空機への搭乗を促すアナウンスを携帯電話５０の音声認識機能によって認識したとき、等に実施してもよい。
【０１０５】
また、本実施形態の携帯電話５０は、無線機能を停止させるように促す表示だけでなく、上記所定の条件を満たした場合には、強制的に、飛行機モードへ設定変更や電源オフになるように、携帯電話５０を制御してもよい。
【０１０６】
この場合には、例えば、航空機へ搭乗したことを検知した時点で、強制的に、携帯電話５０の設定変更や電源オフ等を行うように制御すればよい。
【０１０７】
［他の実施形態］
以上、本開示の一実施形態について説明したが、本開示は上記実施形態に限定されるものではなく、開示の要旨を逸脱しない範囲で種々の変更が可能である。
【０１０８】
（Ａ）
上記実施形態１，２では、本携帯端末として、携帯電話１０，５０を用いた例を挙げて説明した。しかし、本開示はこれに限定されるものではない。
【０１０９】
例えば、携帯電話以外にも、スマートフォン、携帯音楽プレイヤ、携帯型ゲーム機等のように、通信機能を有する各種携帯機器に対して、本開示を適用してもよい。
【０１１０】
（Ｂ）
上記実施形態１では、空港内において所定の条件を満たした場合に、携帯電話１０の表示画面１２ａに、座席番号を表示させる例を挙げて説明した。しかし、本開示はこれに限定されるものではない。
【０１１１】
例えば、携帯端末の表示部に表示させる座席情報としては、例えば、図５に示すように、座席位置を示すシートマップ等を表示部１２の表示画面１２ａに表示させてもよい。
【０１１２】
（Ｃ）
上記実施形態１では、携帯電話１０の表示画面１２ａに座席番号を表示させるための所定の条件として、空港における搭乗ゲート通過を例として挙げて説明した。しかし、本開示はこれに限定されるものではない。
【０１１３】
例えば、上記所定の条件としては、例えば、図３に示すチェックインカウンタ１０１や自動チェックイン機におけるチェックイン手続き完了、保安検査場１０２の通過、搭乗ゲート１０３ａ〜１０３ｄまで経路中の所定の位置の通過、携帯端末の飛行機モードへの設定変更等、他の条件であってもよい。あるいは、これらの複数の条件を組み合わせてもよい。
【０１１４】
（Ｄ）
上記実施形態１，２では、携帯電話１０，５０が空港１００内における自身の位置情報を取得して座席情報を取得すべき位置にいるか否かを判定し、空港内サーバ２１から座席位置情報を取得する例を挙げて説明した。しかし、本開示はこれに限定されるものではない。
【０１１５】
例えば、図２に示す空港内サーバ２１側において位置判定を行い、携帯電話等の携帯端末）に対して座席位置情報を送信してもよい。
【０１１６】
つまり、本開示は、携帯端末と空港内サーバを含む空港における携帯端末制御システムとしても実現可能である。
【０１１７】
具体的には、本携帯端末制御システムは、空港において使用される携帯端末の制御システムであって、
外部機器と通信を行なう通信部と、各種情報を表示する表示部と、空港において航空機に搭乗する際に前記通信部を介して取得した情報に基づいて所定の条件を満たしたと判定した場合には前記通信部を介して搭乗する航空機の座席情報を取得し、前記表示部に表示させる制御部と、を有する携帯端末と、
前記携帯端末からの要求に応じて、前記航空機の座席情報を前記携帯端末に送信する送信部を有する空港内サーバと、
を備えている。
【０１１８】
この携帯端末制御システムによれば、上述した携帯電話１０と同様の効果を得ることができる。
【０１１９】
（Ｅ）
上記実施形態１，２では、携帯電話１０，５０の使用者が搭乗ゲート１０３ａ〜１０３ｄを通過した際に、携帯電話１０に座席番号情報、あるいは無線機能を停止させるように促す表示を行なう例を挙げて説明した。しかし、本開示はこれに限定されるものではない。
【０１２０】
例えば、携帯電話が備えているＧＰＳ機能を用いて空港内における使用者の位置を検出し、使用者が保安エリアに進入した際に自動的に座席番号情報、あるいは無線機能を停止させるように促す表示を携帯電話へ送信し、表示部に表示させてもよい。
【０１２１】
（Ｆ）
上記実施形態１，２では、チェックインカウンタ１０１や保安検査場１０２、搭乗ゲート１０３ａ〜１０３ｄのいずれかを通過する際に、携帯電話１０，５０の表示画面１２ａにＱＲコード（登録商標） を表示させる例を挙げて説明した。しかし、本発明はこれに限定されるものではない。
【０１２２】
例えば、上記各ポイントを通過する際に必要なＱＲコード（登録商標） は、携帯電話１０，５０の表示画面に表示させる以外にも、プリントアウトされた紙情報としてのＱＲコード（登録商標） や、他の電子機器の表示画面に表示されたＱＲコード（登録商標） であってもよい。
【０１２３】
ただし、各ポイントを通過した場合に表示される座席情報が携帯端末に表示されることを考慮すれば、通過する際に必要なＱＲコード（登録商標） を表示する端末と共通の端末に座席番号等が表示されるように設定しておくことが好ましい。
【０１２４】
（Ｇ）
上記実施形態１では、携帯電話１０の使用者が搭乗する航空機の座席番号を表示部１２に表示させる例を挙げて説明した。しかし、本発明はこれに限定されるものではない。
【０１２５】
例えば、空港内における移動をスムーズにするために、チェックイン手続き完了時や保安検査場通過時に、使用者が向かうべき搭乗ゲートの番号を表示部に表示させるような制御であってもよい。
【０１２６】
この場合でも、使用者は、自分が向かうべき搭乗ゲートに関する情報を携帯端末を見るだけで容易に確認することができる。また、従来の搭乗ゲート番号を付した発券システムが不要になるため、ペーパレス化、および発券コストの削減が図れる。
【０１２７】
（Ｈ）
上記実施形態１では、搭乗ゲート通過時等のように所定の条件を満たした場合に、表示部１２に座席番号を表示させる例を挙げて説明した。しかし、本発明はこれに限定されるものではない。
【０１２８】
例えば、携帯端末の使用者に座席番号を知らせる手段としては、表示部に表示させる手段以外にも、音声情報として出力する手段も含まれる。
【０１２９】
通常、携帯電話等の携帯端末には、音声通話時に使用するための出力部（例えば、上記実施形態では、スピーカ１６）が搭載されている。
【０１３０】
これにより、この出力部を用いて、座席番号情報を音声情報として出力することで、上記実施形態と同様の効果を得ることができる。
【０１３１】
（Ｉ）
上記実施形態１では、携帯電話１０の使用者が搭乗する航空機の座席番号を表示部１２に表示させる例を挙げて説明した。
【０１３２】
例えば、空港内における移動をスムーズにするために、チェックイン手続き完了時や保安検査場通過時に、使用者が向かうべき搭乗ゲートの番号を、音声情報として出力してもよい。
【０１３３】
これにより、この出力部を用いて、搭乗ゲート情報を音声情報として出力することで、上記実施形態と同様の効果を得ることができる。
【０１３４】
（Ｊ）
上記実施形態１，２では、チェックインや搭乗ゲート通過時に、携帯電話１０，５０の表示画面にＱＲコード（登録商標） を表示させる例を挙げて説明した。しかし、本発明はこれに限定されるものではない。
【０１３５】
例えば、上述したＮＦＣ等、他の手段を用いてチェックインや搭乗ゲートを通過できるようにしてもよい。
【０１３６】
（Ｋ）
上記実施形態１では、インターネットを介して座席情報を取得する例を挙げて説明した。しかし、本発明はこれに限定されるものではない。
【０１３７】
例えば、座席情報は、インターネット経由に限らず、上述したＮＦＣを介して取得してもよい。あるいは、ＮＦＣ経由でチェックイン完了情報を取得し、携帯端末の内部に格納された座席情報を表示させてもよい。
また、情報のやり取りについても、インターネット経由に限定されるものではなく、他の手段を用いて情報の送受信を行なってもよい。
【０１３８】
（Ｌ）
上記実施形態１では、携帯電話１０が、インターネットを介して空港内サーバ２１から座席情報を取得する例を挙げて説明した。しかし、本発明はこれに限定されるものではない。
【０１３９】
例えば、携帯端末が備えている記憶部内に、予め座席情報を格納しておき、所定の条件を満たした場合に、記憶部内から座席情報を読み出して表示部に表示させてもよい。
【産業上の利用可能性】
【０１４０】
本開示の携帯端末は、スムーズに航空機内の指定された席へ着座することができるという効果を奏することから、航空機へ持ち込まれる各種携帯機器に対して広く適用可能である。
【符号の説明】
【０１４１】
１０      携帯電話（携帯端末）
１１      通信部
１２      表示部
１２ａ    表示画面
１３      記憶部
１４      入力部
１５      マイク
１６      スピーカ（出力部）
１７      電源部
１８      制御部
２０      空港内ネットワーク
２１      空港内サーバ
２１ａ    通信部
２１ｂ    位置検出部
２１ｃ    記録部
２１ｄ    チェックイン情報記憶部
５０      携帯電話（携帯端末）
５１      通信部
５２      表示部
５３      記憶部
５４      入力部
５５      マイク
５６      スピーカ
５７      電源部
５８      制御部
５９      飛行機モード設定部
１００      空港
１００ａ    非保安エリア
１００ｂ    保安エリア
１０１      チェックインカウンタ
１０２      保安検査場
１０３ａ〜１０３ｄ  搭乗ゲート
【図１】
2013218666.tif 000003
【図２】
2013218666.tif 000004
【図３】
2013218666.tif 000005
【図４】
2013218666.tif 000006
【図５】
2013218666.tif 000007
【図６】
2013218666.tif 000008